(57)【要約】【解決手段】  乗用車のリヤウィンドウ部分  に広告登載を希望する顧客と乗用車へ広告登載する広告主を仲介し、広告登載者と広告主への広告料金は、広告登載した乗用車が給油等した段階で、走行距離又は給油量に応じて算出するが、広告登載者への広告料金は、ガソリン供給会社と業務提携し、ガソリン料金を値引きすることにより清算するシステムを確立する。広告料金等は電子決済データベースの電子決済データで決済し、広告登載者に対し値引きする広告料金は、広告業者がガソリン供給会社に補填する。【効果】  本発明は、実用化していない一般の乗用車の広告について、普及できることが最大の効果である。具体的には、解決手段の広告料金課金方法およびシステムにより、駐車している時間帯には広告料金が発生しないこと等で、広告主にとっては広告効率が高く、安い広告が可能になり、乗用車の所有者は、リヤウィンドウへの広告登載によって、安いガソリンを入手することができる。【選択図】  図１
2010182221.tif 000002
【特許請求の範囲】
【請求項１】
乗用車のリヤウィンドウ部分に、広告を登載した乗用車広告の広告料金を課金するためのネットワーク上のサーバにおける乗用車広告料金課金方法において、
前記サーバとネットワークを介して接続するガソリンスタンドの端末装置より、広告登載車の給油時の走行距離又は給油量を取得する工程と、
前記サーバ内の料金計算・保存データベースに予め記憶されている走行距離又は給油量に応じた広告料金課金単価及びガソリン値引き単価に、前記取得された走行距離又は給油量を乗法してそれぞれ広告料金及びガソリン値引き額を算出する工程と、
算出されたガソリン値引き額を前記ガソリンスタンドの端末装置に送信し、算出された広告料金を、前記ネットワークを介して前記サーバと接続する広告主の端末装置に送信する工程とを有する乗用車広告料金課金方法。
【請求項２】
前記料金計算・保存データベースには、広告登載車の走行距離又は給油量に応じて増減される広告料金課金単価とガソリン値引き単価が記憶されている、請求項1に記載の乗用車広告料金課金方法。
【請求項３】
前記ガソリンスタンドの端末装置は、広告登載車の給油時の給油量に対して本来支払うべきガソリン料金から前記ガソリン値引き額を差し引いて清算する、請求項1又は２に記載の乗用車広告料金課金方法。
【請求項４】
前記ガソリンスタンドの端末装置は、広告登載車の走行距離を、ガソリン給油時点の被減数ＯＤＯメーターから広告登載時点の減数ＯＤＯメーターを差し引いて算出し、以後ガソリン給油ごとに、直前被減数ＯＤＯメーターを減数ＯＤＯメーターに更改して、新たな給油時点の被減数ＯＤＯメーターから差し引く、請求項1及至３のいずれか一つに記載の乗用車広告料金課金方法。  
【請求項５】
乗用車のリヤウィンドウ部分に、広告を登載した乗用車広告の広告料金を課金するシステムにおいて、
ネットワーク上のサーバと、
前記サーバと前記ネットワークを介して接続するガソリンスタンドの端末装置と、
前記サーバと前記ネットワークを介して接続する広告主の端末装置とを備え、
前記ガソリンスタンドの端末装置より、広告登載車の給油時の走行距離又は給油量を取得し、
前記サーバは、前記サーバ内の料金計算・保存データベースに予め記憶されている走行距離又は給油量に応じた広告料金課金単価及びガソリン値引き単価に、前記取得された走行距離又は給油量を乗法してそれぞれ広告料金及びガソリン値引き額を算出し、算出されたガソリン値引き額を前記ガソリンスタンドの端末装置に送信し、算出された広告料金を前記広告主の端末装置に送信する乗用車広告料金課金システム。
【請求項６】
前記料金計算・保存データベースには、広告登載車の走行距離又は給油量に応じて増減される広告料金課金単価とガソリン値引き単価が記憶されている、請求項５に記載の乗用車広告料金課金システム。
【発明の詳細な説明】
【技術分野】
【０００１】
本発明は、乗用車のリヤウィンドウ部分に広告を登載する乗用車広告サービスにおいて、適正な乗用車広告料金を課金する方法およびシステムに関する。
【背景技術】
【０００２】
現在の交通広告は、広告主が広告代理店等を通して広告媒体であるバスやタクシーへのラッピング広告が主体で、従来の課金システムはバスやタクシーを想定したものが多い。これらの媒体は一台当りの広告面積は広く、広告効果は相応に認められるが、車輛の絶対的台数が少ないことや広告料金が長期の契約期間および最低枚数が決められているなどの一定の条件下で一定額に決められていること、広告効果が殆ど認められない駐車時間も含まれていることから、広告料金は割高で投資効率は低くなっている。
【０００３】
一般の乗用車について、従来の技術では多数いる広告登載者への支払い方法やシステムが不十分であることや車輛への機械設置等で採算がとれないこと、および消費者のニーズの多様化にシステムが追いついていないことなどが、実用化していない原因であるといっても過言ではない。
【０００４】
車載の機械により、地域毎や地域の通過時間毎の課金方法や広告システムが、例えば、特許文献1〜3に記載されている。
【先行技術文献】
【特許文献】
【０００５】
【特許文献１】特開２００３-１４０５８８号公報
【特許文献２】特開２００２-１２３７５０号公報
【特許文献３】特開２００２-２５９８４１号公報
【発明の概要】
【発明が解決しようとする課題】
【０００６】
交通広告を普及させるためには、圧倒的に台数が多い一般の乗用車(除く商業車)を活用することが必要であることや広告効果が認められる走行時間等を広告料として積算できる方法と、これらの広告料金課金方法とシステムが必要となる。  
【０００７】
そのため、一般の乗用車について乗用車広告を普及させるためには、多数いる広告登載者の情報と、走行距離又は給油量などの情報を登録・管理し、広告料金等の計算や電子決済を実施するコンピューターシステムが必要不可欠となる。
【０００８】
本発明の目的は、一般の乗用車のリヤウィンドウに広告を登載するサービスについて、前記の課題を解決するために、広告料金体系とガソリン値引き体系のデータと走行距離又は給油量等の情報を登録・管理し、広告主や広告登載者と、ネットワークを介して広告料金を適正に運用するための、乗用車広告料金課金方法およびシステムを提供することにある。
【課題を解決するための手段】
【０００９】
前記目的を達成するための本発明は、乗用車のリヤウィンドウ部分に、広告を登載した乗用車広告の広告料金を課金するためのネットワーク上のサーバにおける乗用車広告料金課金方法において、前記サーバとネットワークを介して接続するガソリンスタンドの端末装置より、広告登載車の給油時の走行距離又は給油量を取得し、前記サーバ内の料金計算・保存データベースに予め記憶されている走行距離又は給油量に応じた広告料金課金単価及びガソリン値引き単価に、前記取得された走行距離又は給油量を乗法してそれぞれ広告料金及びガソリン値引き額を算出する。広告主への広告料金支払いは、広告主端末にネットワークを介して接続し、乗用車広告料金を電子決済し、広告登載者への広告料金支払いは、ガソリン料金から値引きすることによって実質的支払いに替えることにより手間を省くことができ効率性を高めることができる。
【発明の効果】
【００１０】
本発明は、実用化していない一般の乗用車の広告について、リヤウィンドウ広告を通して普及することができることが最大の効果である。そのためには広告主が広告業者に支払う広告料金および広告業者が広告登載者に支払う広告料金について、広告登載車の走行距離又は給油量に応じて支払うもので、且つ広告登載者に支払う広告料金は、ガソリン供給会社と業務提携し、ガソリン料金を値引きすることにより清算するシステムの確立であり、広告業者とガソリン供給会社および広告主がネットワークを介して必要な情報を取得し、登録・管理することにより、広告主にとっては、広告効率が高く、安い広告が可能になり、乗用車の所有者は、リヤウィンドウへの広告登載によって、安いガソリンを入手することができる。
【図面の簡単な説明】
【００１１】
【図１】本発明の実態形態の乗用車広告料金課金システムのブロック図である。
【図２】顧客情報の一部と利用情報を示す構成図である。
【図３】顧客情報の一部と広告主情報を示す構成図である。
【図４】広告業者の情報登録・管理データベースを示す構成図である。
【図５】実態形態の乗用車広告料金課金方法のフロー図である。
【図６】ガソリンスタンド端末の表示画面の例である。
【図７】顧客（広告登載者）データの概念図である。
【図８】広告業者端末に表示される概念図である。
【図９】広告主端末に表示される概念図である。
【発明を実施するための形態】
【００１２】
本発明の実施の形態について、図を参照して説明する
【００１３】
図1〜図９は、本発明方法の実施の形態の一実施例を示す図である。図１は本発明方法を示す全体のブロック図で、図２〜図３は端末の構成図、図４は情報登録・保存データベースの構成図、図５は乗用車広告の広告料金課金方法とガソリン値引き方法のフロー図、図６はガソリンスタンド端末の表示画面の例、図7〜図９は端末の概念図である。  
【００１４】
図１は、本発明方法である乗用車広告の全体構成図で、広告業者はガソリンスタンドの経営母体であるガソリン供給会社と業務提携し、広告業者が設けたサーバ２４０とガソリン供給会社の端末１１０、１２０をネットワーク４１０を介して、顧客情報と利用情報およびガソリン値引きのデータ等の送出・取得を相互に行い、端末１２０は、広告登載者に対して、顧客情報の一部と利用情報の一部を表示し、ＩＤ番号の入力とこれらの情報に誤りがないかチェックする機能を持つ。
【００１５】
サーバ２４０は、ネットワーク４２０を介して接続している広告主端末３１０に広告登載した車輛の利用情報の一部や広告料金等の情報を送出し、広告主は広告登載車の広告料金を確認することができる。
【００１６】
広告業者が設けたサーバ２４０は、情報登録・管理データベース２００と料金計算・保存データベース２１０および電子決済データベース２２０を有する。
【００１７】
情報登録・管理データベース２００は、ガソリン供給会社職員端末１１０から入力される顧客情報の一部と利用情報の一部および店員端末１２０から入力される利用情報の一部および広告業者社員端末２３０から入力される顧客情報の一部と広告主情報を登録・管理し、サーバ２４０は、料金算出に必要な情報を情報登録・管理データベース２００から取得する。
【００１８】
料金計算・保存データベース２１０は、広告料金を算出する広告料金体系およびガソリン値引き額を算出するガソリン値引き体系のデータを保有している。サーバ２４０は、情報登録・管理データベース２００から送出された顧客情報と利用情報と広告主情報を取得することにより、広告業者が広告主から受取る広告料金および広告登載者に対するガソリン値引き額を算出し、併せて広告登載者がガソリン供給会社に支払うガソリン料金も計算する。これらの料金は保存のうえ電子決済データベース２２０に送出する。      
【００１９】
電子決済データベース２２０は、広告料金を広告主端末３１０に請求し、ガソリン値引き額を広告業者端末２３０に請求して、電子決済による支払い処理を行うための電子決済データを格納する。電子決済により利便性と効率性を高める。    
【００２０】
本社職員端末１１０（図１）は、図２の１顧客情報のうち車輛番号と顧客名と顧客住所と電話番号および利用情報のうち広告登載時点のＯＤＯメーターをサーバ２４０に送信する。送信された情報は情報登録・管理データベース２００（図４）に登録・管理される。
【００２１】
社員端末２３０（図１）は、図３の１顧客情報のうち、ＩＤ番号と走行距離又は給油量に応じたガソリン値引き体系に基づくガソリン値引き単価をサーバ２４０に送信するとともに、図３の３広告主情報のＩＤ番号と広告主名と広告主住所と電話番号と走行距離又は給油量に応じた広告料金体系に基づく広告単価をサーバ２４０に送信する。これらの情報は情報登録・管理データベース２００（図４）に登録・管理される。
【００２２】
図４は、図２のガソリン供給会社端末１１０、１２０と図３の広告業者端末２３０から入力された情報を、登録・管理するデータベースの構成図である。
【００２３】
図５は、実施形態のフロー図である。店員端末１２０では、店員の操作により、広告登載者がガソリンスタンドで給油するつど、利用情報のうちガソリン給油時点のＯＤＯメーターと給油量とガソリン単価と利用年月日とガソリンスタンド名が入力される（Ｓ１０１）。店員端末１２０は、入力された情報を図４情報登録・管理データベース２００に送出（Ｓ１０２）し、登録・管理される（Ｓ１０３）。  
【００２４】
サーバ２４０は、情報登録・管理データベース２００（図４）から取得（Ｓ１０４）した走行距離又は給油量とガソリン値引き体系に基づくガソリン値引き単価を乗法することによりガソリン値引き額を算出（Ｓ１０７）し、ガソリン値引きデータを料金計算・保存データベース２１０に保存（Ｓ１０８）するとともにネットワークを介して、店員端末１２０に送出する（Ｓ１０９）。   
【００２５】
店員端末１２０の表示画面（図６）には、顧客情報の車輛番号と値引き額および利用情報の走行距離と給油量とガソリン料金が表示され（Ｓ１０５、Ｓ１１０）、事前に広告業者から通知されたID番号の入力（Ｓ１０６）と表示された数値の承認を行う。  
【００２６】
サーバ２４０は、走行距離について、利用情報のガソリン給油時点のＯＤＯメーターから顧客情報の広告登載時点のＯＤＯメーターを差引いて算出し、広告登載者の承認によって利用情報のＯＤＯメーターは、顧客情報のＯＤＯメーターに振り替える機能を併せて保有する。
【００２７】
サーバ２４０は、情報登録・管理データベース２００（図４）から取得（Ｓ１０４）された走行距離又は給油量と広告料金体系に基づく広告単価を乗法することにより広告料金を算出（Ｓ１１１）し、広告料金データを料金計算・保存データベース２１０に保存（Ｓ１１２）するとともにネットワークを介して広告主端末３１０に送出する（Ｓ１１３）。
【００２８】
広告主端末３１０は、事前に広告業者から通知された広告主情報のＩＤ番号を入力（Ｓ１１４）してサーバ２４０にアクセスし、情報登録・管理データベース２００（図４）に保存される走行距離又は給油量（Ｓ１１５）と、料金計算・保存データベース２１０に保存される広告料金を取得し、電子決済データベース２２０の電子決済データにより決済する（Ｓ１１６）。
【００２９】
図７は、顧客（広告登載者）の固有データである。図８は、広告登載者がガソリンスタンドで給油した際の履歴情報で、車輛毎に利用年月日とガソリンスタンド名と前回ＯＤＯメーターと今回ＯＤＯメーターと走行距離と給油量の情報およびガソリン料金とガソリン値引き額とガソリン供給会社への支払額と広告料金と、これらの単価の情報を広告業者端末に表示し、集積される。図９は、広告主が広告登載車の利用状況等と広告料金を確認する広告主端末の概念図である。
【符号の説明】
【００３０】
１１０          ガソリン供給会社本社職員端末
１２０          ガソリンスタンド店員端末
２００          情報登録・管理データベース
２１０          料金計算・保存データベース
２２０          電子決済データベース
２３０          広告業者社員端末
２４０          広告業者サーバ
３１０          広告主端末
４１０・４２０  ネットワーク
【図１】
2010182221.tif 000003
【図２】
2010182221.tif 000004
【図３】
2010182221.tif 000005
【図４】
2010182221.tif 000006
【図５】
2010182221.tif 000007
【図６】
2010182221.tif 000008
【図７】
2010182221.tif 000009
【図８】
2010182221.tif 000010
【図９】
2010182221.tif 000011